【手続補正書】
【提出日】平成29年7月25日(2017.7.25)
【手続補正１】
【補正対象書類名】特許請求の範囲
【補正対象項目名】全文
【補正方法】変更
【補正の内容】
【特許請求の範囲】
【請求項１】
内輪と、外輪と、複数の玉と、前記内輪と前記外輪との間の環状空間内に配置され、周方向に間隔をあけて設けられたポケット内に前記複数の玉を収容する保持器と、を備える玉軸受の前記環状空間内にグリスを封入する玉軸受のグリス封入方法であって、
前記保持器を前記玉軸受の軸線回りに回転駆動し、
前記保持器の玉ピッチ円に沿った前記ポケットの設けられた凸部領域と、隣接する前記ポケット同士の間の凹部領域とのいずれの領域であるかを検出し、該検出結果に基づいて、前記環状空間にグリスの吐出口が対面配置された同一のディスペンサによりグリスを吐出することを特徴とする玉軸受のグリス封入方法。
【請求項２】
回転駆動される前記保持器の側面の軸方向高さを検出し、検出された前記軸方向高さの情報からいずれの領域であるかを求めることを特徴とする請求項１に記載の玉軸受のグリス封入方法。
【請求項３】
前記ディスペンサの吐出口から前記グリスを吐出するタイミングに応じて、前記保持器と前記吐出口とを相対的に接近又は離反させることを特徴とする請求項１又は請求項２に記載の玉軸受のグリス封入方法。
【請求項４】
前記保持器の前記凹部領域が前記ディスペンサの前記吐出口に対面する位置に到達したタイミングで、前記ディスペンサの前記吐出口を前記凹部領域に接近させることを特徴とする請求項３に記載の玉軸受のグリス封入方法。
【請求項５】
前記ディスペンサは、前記保持器の全周にわたってグリスを吐出し、
前記ディスペンサからのグリス吐出量を前記領域に応じて変更することを特徴とする請求項１又は請求項２に記載の玉軸受のグリス封入方法。
【請求項６】
前記ディスペンサの前記吐出口からのグリス吐出量を、前記保持器の前記凸部領域が前記吐出口に対面するときよりも、前記保持器の前記凹部領域が前記吐出口に対面するときに多くすることを特徴とする請求項５に記載の玉軸受のグリス封入方法。
【請求項７】
前記グリスの吐出後に前記グリスの吸引を行うことを特徴とする請求項１乃至請求項６のいずれか一項に記載の玉軸受のグリス封入方法。
【請求項８】
前記玉軸受は、玉数が１３個以上の深溝玉軸受であることを特徴とする請求項１乃至請求項７のいずれか一項に記載の玉軸受のグリス封入方法。
【請求項９】
前記玉軸受は、玉数が２０個以上の深溝玉軸受であることを特徴とする請求項１乃至請求項７のいずれか一項に記載の玉軸受のグリス封入方法。
【請求項１０】
内輪と、外輪と、複数の玉と、前記内輪と前記外輪との間の環状空間内に配置され、周方向に間隔をあけて設けられたポケット内に前記複数の玉を収容する保持器と、を備える玉軸受の前記環状空間内にグリスを封入する玉軸受のグリス封入装置であって、
前記保持器を前記玉軸受の軸線回りに回転させる回転駆動部と、
前記保持器の玉ピッチ円に沿った前記ポケットの設けられた凸部領域、及び隣接する前記ポケット同士の間の凹部領域のいずれの領域であるかを検出するセンサと、
前記環状空間にグリスの吐出口を対面配置したディスペンサと、
前記センサからの検出信号に応じて同一の前記ディスペンサによりグリスを吐出させる制御部と、
を備えることを特徴とする玉軸受のグリス封入装置。
【請求項１１】
前記センサは、回転駆動される前記保持器の側面の軸方向高さを、周方向に沿って検出するレーザ変位計を含むことを特徴とする請求項１０に記載の玉軸受のグリス封入装置。
【請求項１２】
前記ディスペンサを昇降駆動して、前記ディスペンサの吐出口を前記保持器に接近又は離反させる昇降駆動部を備えることを特徴とする請求項１０又は請求項１１に記載の玉軸受のグリス封入装置。
【請求項１３】
前記ディスペンサのグリス吐出量を変更する吐出量調整部を備えることを特徴とする請求項１０又は請求項１１に記載の玉軸受のグリス封入装置。
【請求項１４】
前記ディスペンサは、前記グリスの吐出動作と、前記グリスの吸引動作が切り替え可能であることを特徴とする請求項１０乃至請求項１３のいずれか一項に記載の玉軸受のグリス封入装置。
【請求項１５】
前記ディスペンサは、モーノポンプを備えることを特徴とする請求項１０乃至請求項１４のいずれか一項に記載の玉軸受のグリス封入装置。
【請求項１６】
前記ディスペンサを前記玉軸受の径方向に位置決めする径方向駆動部を備えることを特徴とする請求項１０乃至請求項１５のいずれか一項に記載の玉軸受のグリス封入装置。 
【手続補正２】
【補正対象書類名】明細書
【補正対象項目名】００２０
【補正方法】変更
【補正の内容】
【００２０】
本発明は下記構成からなる。
（１）内輪と、外輪と、複数の玉と、前記内輪と前記外輪との間の環状空間内に配置され、周方向に間隔をあけて設けられたポケット内に前記複数の玉を収容する保持器と、を備える玉軸受の前記環状空間内にグリスを封入する玉軸受のグリス封入方法であって、
前記保持器を前記玉軸受の軸線回りに回転駆動し、
前記保持器の玉ピッチ円に沿った前記ポケットの設けられた凸部領域と、隣接する前記ポケット同士の間の凹部領域とのいずれの領域であるかを検出し、該検出結果に基づいて、前記環状空間にグリスの吐出口が対面配置された同一のディスペンサによりグリスを吐出することを特徴とする玉軸受のグリス封入方法。
（２）回転駆動される前記保持器の側面の軸方向高さを検出し、検出された前記軸方向高さの情報からいずれの領域であるかを求めることを特徴とする（１）に記載の玉軸受のグリス封入方法。
（３）  前記ディスペンサの吐出口から前記グリスを吐出するタイミングに応じて、前記保持器と前記吐出口とを相対的に接近又は離反させることを特徴とする（１）又は（２）に記載の玉軸受のグリス封入方法。
（４）前記保持器の前記凹部領域が前記ディスペンサの前記吐出口に対面する位置に到達したタイミングで、前記ディスペンサの前記吐出口を前記凹部領域に接近させることを特徴とする（３）に記載の玉軸受のグリス封入方法。
（５）  前記ディスペンサは、前記保持器の全周にわたってグリスを吐出し、
前記ディスペンサからのグリス吐出量を前記領域に応じて変更することを特徴とする（１）又は（２）に記載の玉軸受のグリス封入方法。
（６）  前記ディスペンサの前記吐出口からのグリス吐出量を、前記保持器の前記凸部領域が前記吐出口に対面するときよりも、前記保持器の前記凹部領域が前記吐出口に対面するときに多くすることを特徴とする（５）に記載の玉軸受のグリス封入方法。
（７）  前記グリスの吐出後に前記グリスの吸引を行うことを特徴とする（１）乃至（６）のいずれか一つに記載の玉軸受のグリス封入方法。
（８）  前記玉軸受は、玉数が１３個以上の深溝玉軸受であることを特徴とする（１）乃至（７）のいずれか一つに記載の玉軸受のグリス封入方法。
（９）  前記玉軸受は、玉数が２０個以上の深溝玉軸受であることを特徴とする（１）乃至（７）のいずれか一つに記載の玉軸受のグリス封入方法。
（１０）  内輪と、外輪と、複数の玉と、前記内輪と前記外輪との間の環状空間内に配置され、周方向に間隔をあけて設けられたポケット内に前記複数の玉を収容する保持器と、
を備える玉軸受の前記環状空間内にグリスを封入する玉軸受のグリス封入装置であって、
前記保持器を前記玉軸受の軸線回りに回転させる回転駆動部と、
前記保持器の玉ピッチ円に沿った前記ポケットの設けられた凸部領域、及び隣接する前記ポケット同士の間の凹部領域のいずれの領域であるかを検出するセンサと、
前記環状空間にグリスの吐出口を対面配置したディスペンサと、
前記センサからの検出信号に応じて同一の前記ディスペンサによりグリスを吐出させる制御部と、
を備えることを特徴とする玉軸受のグリス封入装置。
（１１）  前記センサは、回転駆動される前記保持器の側面の軸方向高さを、周方向に沿って検出するレーザ変位計を含むことを特徴とする（１０）に記載の玉軸受のグリス封入装置。
（１２）  前記ディスペンサを昇降駆動して、前記ディスペンサの吐出口を前記保持器に接近又は離反させる昇降駆動部を備えることを特徴とする（１０）又は（１１）に記載の玉軸受のグリス封入装置。
（１３）  前記ディスペンサのグリス吐出量を変更する吐出量調整部を備えることを特徴とする（１０）又は（１１）に記載の玉軸受のグリス封入装置。
（１４）  前記ディスペンサは、前記グリスの吐出動作と、前記グリスの吸引動作が切り替え可能であることを特徴とする（１０）乃至（１３）のいずれか一つに記載の玉軸受のグリス封入装置。
（１５）  前記ディスペンサは、モーノポンプを備えることを特徴とする（１０）乃至（１４）のいずれか一つに記載の玉軸受のグリス封入装置。
（１６）  前記ディスペンサを前記玉軸受の径方向に位置決めする径方向駆動部を備えることを特徴とする（１０）乃至（１５）のいずれか一つに記載の玉軸受のグリス封入装置。